(57)【要約】      （修正有）【課題】基地局装置がより高い周波数ダイバーシチ効果を得られるチャネル割り当てを実現する。【解決手段】基地局装置は、異なる周波数帯域にそれぞれ属する複数のチャネルを組にして、チャネルを割り当てるスケジューリング部を備え、各端末局装置から報告された受信品質情報に基づいて、複数の周波数帯域に配置されたチャネルから前記各端末局装置へのチャネルの割り当てを決定し、チャネルの割り当て結果を表すスケジューリング情報を前記各端末局装置へ送信する。【選択図】図２
2010098688.tif 000002
【特許請求の範囲】
【請求項１】
複数の端末局装置に対して、複数の周波数帯域に属する複数のチャネルの中からチャネルを割り当てて通信を行う基地局装置であって、
異なる周波数帯域にそれぞれ属する複数のチャネルを組にして、前記各端末局装置への通信にチャネルを割り当てるスケジューリング部と、
前記チャネルの割り当て結果を表すスケジューリング情報を前記各端末局装置へ送信する無線送信部と
を備えることを特徴とする基地局装置。
【請求項２】
前記スケジューリング部は、
前記各端末局装置に対して、第１の周波数帯域に属する複数のチャネルから前記受信品質情報に基づいてチャネルを割り当て、
さらに前記受信品質情報に基づいて、第２から第ｎ（ｎは２以上の整数）までのそれぞれの周波数帯域に属する複数のチャネルから前記第１の周波数帯域で割り当てたチャネルと同数のチャネルを割り当てることを特徴とする請求項１に記載の基地局装置。
【請求項３】
前記スケジューリング部は、
前記各端末局装置に対して、第１の周波数帯域に属する複数のチャネルから前記受信品質情報に基づいてチャネルを割り当て、
さらに前記第１の周波数帯域で割り当てたチャネルと予め組にされた他の複数の周波数帯域に属するチャネルを割り当てることを特徴とする請求項１に記載の基地局装置。
【請求項４】
前記スケジューリング部は、
前記各端末局装置に対して、第１の周波数帯域に属する複数のチャネルから前記受信品質情報に基づいてチャネルを割り当て、
さらに前記第１の周波数帯域で割り当てたチャネルと予め組にされた第２の周波数帯域に属するチャネルを割り当てることを特徴とする請求項１に記載の基地局装置。
【請求項５】
前記スケジューリング部は、
前記各端末局装置に対して、第１の周波数帯域に属する複数のチャネルから前記受信品質情報に基づいてチャネルを割り当て、
さらに前記第１の周波数帯域で割り当てたチャネルと予め定めた規則によって対応づけられた他の複数の周波数帯域に属するチャネルを割り当てることを特徴とする請求項１に記載の基地局装置。
【請求項６】
前記スケジューリング部は、
前記各端末局装置に対して、第１の周波数帯域に属する複数のチャネルから前記受信品質情報に基づいてチャネルを割り当て、
さらに、前記第１の周波数帯域で割り当てたチャネルと予め定めた規則によって対応づけられた第２の周波数帯域に属するチャネルを割り当てることを特徴とする請求項１に記載の基地局装置。
【請求項７】
前記スケジューリング情報は、
前記割り当てられたチャネルの組それぞれについて、いずれか１つのチャネルに関する割り当て情報のみを含むことを特徴とする請求項１から６までのいずれか１項に記載の基地局装置。
【請求項８】
複数の周波数帯域に属する複数のチャネルの中から基地局装置によって割り当てられたチャネルを介して基地局装置と通信を行う端末局装置であって、
前記複数のチャネルの受信品質を測定する受信品質測定部と、
異なる周波数帯域にそれぞれ属する複数のチャネルを組にして、前記各チャネルの受信品質測定結果に基づいて前記基地局装置へ割り当てを要求するチャネルを選択するチャネル選択部と、
前記選択したチャネルの組に含まれる各チャネルを表す情報を含む受信品質情報を生成する受信品質情報生成部と、
前記受信品質情報を送信する無線送信部と
を備えることを特徴とする端末局装置。
【請求項９】
前記受信品質情報生成部は、
前記選択したチャネルの組に含まれる各チャネルのうち、いずれか１つのチャネルを表す情報を含む受信品質情報を生成することを特徴とする請求項８に記載の端末局装置。
【請求項１０】
前記受信品質情報生成部は、
前記選択したチャネルの組に含まれる各チャネルにおける前記受信品質測定結果を表す情報をさらに含む受信品質情報を生成することを特徴とする請求項８または９に記載の端末局装置。
【請求項１１】
前記受信品質情報生成部は、
前記選択したチャネルの組に含まれる各チャネルにおける前記受信品質測定結果の平均値を表す情報をさらに含む受信品質情報を生成することを特徴とする請求項８または９に記載の端末局装置。
【請求項１２】
複数の周波数帯域に属する複数のチャネルの中から基地局装置によって割り当てられたチャネルを介して基地局装置と通信を行う端末局装置であって、
前記基地局装置によって異なる周波数帯域にそれぞれ属する複数のチャネルを組にして割り当てられた、チャネルの割り当て結果を表すスケジューリング情報を受信する無線受信部と、
前記チャネルの組によって伝送されたデータを１つのブロックとして誤り訂正復号を行う復号化部と
を備えることを特徴とする端末局装置。
【請求項１３】
複数の周波数帯域に属する複数のチャネルの中から基地局装置によって割り当てられたチャネルを介して基地局装置と通信を行う端末局装置であって、
前記基地局装置が送信した前記複数のチャネルの割り当て結果を表すスケジューリング情報を受信する無線受信部と、
前記スケジューリング情報に示された自端末局装置に割り当てられたチャネルと、前記割り当てられたチャネルと予め組にされた他の周波数帯域に属するチャネルとによって伝送されたデータを１つのブロックとして誤り訂正復号を行う復号化部と
を備えることを特徴とする端末局装置。
【請求項１４】
複数の周波数帯域に属する複数のチャネルの中から基地局装置によって割り当てられたチャネルを介して基地局装置と通信を行う端末局装置であって、
前記基地局装置が送信した前記複数のチャネルの割り当て結果を表すスケジューリング情報を受信する無線受信部と、
前記スケジューリング情報に示された自端末局装置に割り当てられたチャネルと、前記割り当てられたチャネルと予め定めた規則によって対応づけられた他の周波数帯域に属するチャネルとによって伝送されたデータを１つのブロックとして誤り訂正復号を行う復号化部と
を備えることを特徴とする端末局装置。
【請求項１５】
複数の周波数帯域に属する複数のチャネルを用いて基地局装置から端末局装置への通信を行う通信システムであって、
前記基地局装置は、
異なる周波数帯域にそれぞれ属する複数のチャネルを組にして、前記各端末局装置への通信にチャネルを割り当てるスケジューリング部と、
前記チャネルの割り当て結果を表すスケジューリング情報を前記各端末局装置へ送信する無線送信部と、を備え、
前記端末局装置は、
前記複数のチャネルの受信品質を測定する受信品質測定部と、
異なる周波数帯域にそれぞれ属する複数のチャネルを組にして、前記各チャネルの受信品質測定結果に基づいて前記基地局装置へ割り当てを要求するチャネルを選択するチャネル選択部と、
前記選択したチャネルの組に含まれる各チャネルを表す情報を含む受信品質情報を生成する受信品質情報生成部と、
前記受信品質情報を送信する無線送信部と、を備える
ことを特徴とする通信システム。
【請求項１６】
複数の周波数帯域に属する複数のチャネルを用いて基地局装置から端末局装置への通信を行う通信システムであって、
前記基地局装置は、
異なる周波数帯域にそれぞれ属する複数のチャネルを組にして、前記各端末局装置への通信にチャネルを割り当てるスケジューリング部と、
前記チャネルの割り当て結果を表すスケジューリング情報を前記各端末局装置へ送信する無線送信部と、を備え、
前記端末局装置は、
前記基地局装置が送信した前記スケジューリング情報を受信する無線受信部と、
前記チャネルの組によって伝送されたデータを１つのブロックとして誤り訂正復号を行う復号化部と、を備える
ことを特徴とする通信システム。
【請求項１７】
複数の周波数帯域に属する複数のチャネルを用いて基地局装置から端末局装置への通信を行う通信システムであって、
前記基地局装置は、
異なる周波数帯域にそれぞれ属する複数のチャネルを予め組にし、前記各端末局装置への通信に前記チャネルの組を割り当てるスケジューリング部と、
前記チャネルの割り当て結果を表すスケジューリング情報を前記各端末局装置へ送信する無線送信部と、を備え、
前記端末局装置は、
前記スケジューリング情報を受信する無線受信部と、
前記スケジューリング情報に示された自端末局装置に割り当てられたチャネルと、前記割り当てられたチャネルと予め組にされた他の周波数帯域に属するチャネルとによって伝送されたデータを１つのブロックとして誤り訂正復号を行う復号化部と、を備える
ことを特徴とする通信システム。
【請求項１８】
複数の周波数帯域に属する複数のチャネルを用いて基地局装置から端末局装置への通信を行う通信方法であって、
前記基地局装置は、
異なる周波数帯域にそれぞれ属する複数のチャネルを組にして、前記各端末局装置への通信にチャネルを割り当てるステップと
前記チャネルの割り当て結果を表すスケジューリング情報を前記各端末局装置へ送信するステップと、を備え、
前記端末局装置は、
前記複数のチャネルの受信品質を測定するステップと、
異なる周波数帯域にそれぞれ属する複数のチャネルを組にして、前記各チャネルの受信品質測定結果に基づいて前記基地局装置へ割り当てを要求するチャネルを選択するステップと、
前記選択したチャネルの組に含まれる各チャネルを表す情報を含む受信品質情報を生成するステップと、
前記受信品質情報を送信するステップと、を備える
ことを特徴とする通信方法。
【請求項１９】
請求項１８に記載の通信方法をコンピュータに実行させるためのプログラム。
【請求項２０】
請求項１９に記載のプログラムを記録するコンピュータ読み取り可能な記録媒体。
【発明の詳細な説明】
【技術分野】
【０００１】
本発明は、端末局装置が測定した各チャネルの受信品質に基づいて、各端末局装置へのチャネルの割り当てを決定して通信を行う、基地局装置、端末局装置および通信システムに関する。
【背景技術】
【０００２】
通信の効率（システムのトータルスループットや、受信エラーの発生を勘案した実質的な伝送速度）を改善する方法として、受信信号電力やＳＩＮＲ（Signal to Interference plus Noise power Ratio：受信信号電力対干渉および雑音電力比）等の伝搬路状態及び受信品質を示す指標を基に、変調方式や、チャネル符号化率、誤り訂正符号化方式、拡散率、コード多重数、送信電力等の通信パラメータを、適応的に選択する方式が提案されている（下記非特許文献１参照）。特に、変調方式やチャネル符号化率などの変調パラメータを適応的に選択する方式は、適応変調方式と呼ばれている。
【０００３】
また、基地局装置と複数の端末局装置とから構成され、基地局装置から端末局装置への通信（下りリンク）においてマルチキャリア通信を用いる通信システムでは、下りリンク信号の各端末局装置における各チャネルの受信品質に応じて、チャネルを各  端末局装置に割り当てるスケジューリングを行う方式、さらに下りリンクに対して、１つのサブキャリアまたは幾つかのサブキャリアからなるチャネル毎に、適応変調を行う方式が検討されている（下記非特許文献１、非特許文献２参照）。
【０００４】
尚、端末局装置の受信品質に基づいたスケジューリングや適応変調方式を採用した通信システムでは、割り当てや変調パラメータを決定するために、通信に使用するチャネルの受信信号電力やＳＩＮＲ等の伝搬路状態および受信品質を示す指標を通信相手に通知する必要がある。
【０００５】
また、次世代の通信方式では、より高速な通信を実現するために、広い周波数帯域を用いて通信を行うことが考えられている。しかしながら、既存の他のシステムが使用している周波数帯域を避けなければならないため、連続で広い周波数帯域を割り当てることが難しい。そのため、不連続に配置された周波数帯域を集めて１つのシステムで利用する周波数アグリゲーション（Spectrum aggregation）技術が提案されている（下記非特許文献３参照）。
【０００６】
【非特許文献１】岸山他「下りリンクＶＳＦ−ＯＦＣＤＭブロードバンド無線アクセスにおける適応変復調・チャネル符号化のスループット特性の実験結果」、電子情報通信学会技術研究報告、２００３年５月、ＲＣＳ２００３−２５
【非特許文献２】前原他「サブキャリア適応変調を用いたＯＦＤＭ／ＴＤＤ伝送方式の検討」、２００１年電子情報通信学会総合大会、２００１年３月、Ｂ−５−１００、ｐ．４９８
【非特許文献３】「ＬＴＥ−Ａｄｖａｎｃｅｄ  −  ＬＴＥ  ｅｖｏｌｕｔｉｏｎ  ｔｏｗａｒｄｓ  ＩＭＴ−Ａｄｖａｎｃｅｄ」、３ＧＰＰ、Ｗｏｒｋｓｈｏｐ、ＩＭＴ−Ａｄｖａｎｃｅｄ、ＲＥＶ−０８００３０、２００８年４月
【発明の開示】
【発明が解決しようとする課題】
【０００７】
しかしながら、複数の周波数帯域を集めて利用する場合、各周波数帯域における伝搬路の振る舞いや変動速度がそれぞれ異なる。このため、これら複数の周波数帯域に配置されたチャネルから各端末局装置へ割り当てるチャネルを決定する際に、この周波数帯域による伝搬路の違いを考慮したチャネルの割り当てが行われていなかった。
【０００８】
本発明は、各端末局装置から報告された受信品質情報に基づいて、基地局装置が複数の周波数帯域に配置されたチャネルから各端末局装置へのチャネルの割り当てを決定する際に、周波数帯域による伝搬路の違いを考慮して、より高い周波数ダイバーシチ効果を得られるチャネル割り当てを実現することを目的とする。
【課題を解決するための手段】
【０００９】
本発明の一観点によれば、複数の端末局装置に対して、複数の周波数帯域に属する複数のチャネルの中からチャネルを割り当てて通信を行う基地局装置であって、異なる周波数帯域にそれぞれ属する複数のチャネルを組にして、前記各端末局装置への通信にチャネルを割り当てるスケジューリング部と、前記チャネルの割り当て結果を表すスケジューリング情報を前記各端末局装置へ送信する無線送信部と、を備えることを特徴とする基地局装置が提供される。
【００１０】
前記スケジューリング部は、前記各端末局装置に対して、第１の周波数帯域に属する複数のチャネルから前記受信品質情報に基づいてチャネルを割り当て、さらに前記受信品質情報に基づいて、第２から第ｎ（ｎは２以上の整数）までのそれぞれの周波数帯域に属する複数のチャネルから前記第１の周波数帯域で割り当てたチャネルと同数のチャネルを割り当てることが好ましい。第１の周波数帯域および第２の周波数帯域に同数のチャネルを割り当てると記載したが、周波数ダイバーシチ効果が十分得られる範囲内で割り当てるチャネルの数が少し異なっていても良い。
【００１１】
また、前記スケジューリング部は、前記各端末局装置に対して、第１の周波数帯域に属する複数のチャネルから前記受信品質情報に基づいてチャネルを割り当て、さらに前記第１の周波数帯域で割り当てたチャネルと予め組にされた他の複数の周波数帯域に属するチャネルを割り当てることが好ましい。さらに、前記スケジューリング部は、前記各端末局装置に対して、第１の周波数帯域に属する複数のチャネルから前記受信品質情報に基づいてチャネルを割り当て、さらに前記第１の周波数帯域で割り当てたチャネルと予め組にされた第２の周波数帯域に属するチャネルを割り当てることが好ましい。
【００１２】
前記スケジューリング部は、前記各端末局装置に対して、第１の周波数帯域に属する複数のチャネルから前記受信品質情報に基づいてチャネルを割り当て、さらに前記第１の周波数帯域で割り当てたチャネルと予め定めた規則によって対応づけられた他の複数の周波数帯域に属するチャネルを割り当てることが好ましい。
【００１３】
前記スケジューリング部は、前記各端末局装置に対して、第１の周波数帯域に属する複数のチャネルから前記受信品質情報に基づいてチャネルを割り当て、さらに、前記第１の周波数帯域で割り当てたチャネルと予め定めた規則によって対応づけられた第２の周波数帯域に属するチャネルを割り当てることが好ましい。前記スケジューリング情報は、前記割り当てられたチャネルの組それぞれについて、いずれか１つのチャネルに関する割り当て情報のみを含むことが好ましい。
【００１４】
本発明の他の観点によれば、複数の周波数帯域に属する複数のチャネルの中から基地局装置によって割り当てられたチャネルを介して基地局装置と通信を行う端末局装置であって、前記複数のチャネルの受信品質を測定する受信品質測定部と、異なる周波数帯域にそれぞれ属する複数のチャネルを組にして、前記各チャネルの受信品質測定結果に基づいて前記基地局装置へ割り当てを要求するチャネルを選択するチャネル選択部と、前記選択したチャネルの組に含まれる各チャネルを表す情報を含む受信品質情報を生成する受信品質情報生成部と、前記受信品質情報を送信する無線送信部と、を備えることを特徴とする端末局装置が提供される。ここで、各チャネルを表す情報とは、選択したチャネルの番号を指定する情報である。
【００１５】
前記受信品質情報生成部は、前記選択したチャネルの組に含まれる各チャネルのうち、いずれか１つのチャネルを表す情報を含む受信品質情報を生成することが好ましい。また、前記受信品質情報生成部は、前記選択したチャネルの組に含まれる各チャネルにおける前記受信品質測定結果を表す情報をさらに含む受信品質情報を生成することが好ましい。ここで、前記受信品質測定結果を表す情報は、受信品質を表す情報である。
【００１６】
また、前記受信品質情報生成部は、前記選択したチャネルの組に含まれる各チャネルにおける前記受信品質測定結果の平均値を表す情報をさらに含む受信品質情報を生成することが好ましい。
【００１７】
本発明の他の観点によれば、複数の周波数帯域に属する複数のチャネルの中から基地局装置によって割り当てられたチャネルを介して基地局装置と通信を行う端末局装置であって、前記基地局装置によって異なる周波数帯域にそれぞれ属する複数のチャネルを組にして割り当てられた、チャネルの割り当て結果を表すスケジューリング情報を受信する無線受信部と、前記チャネルの組によって伝送されたデータを１つのブロックとして誤り訂正復号を行う復号化部とを備えることを特徴とする端末局装置が提供される。
【００１８】
本発明の他の観点によれば、複数の周波数帯域に属する複数のチャネルの中から基地局装置によって割り当てられたチャネルを介して基地局装置と通信を行う端末局装置であって、前記基地局装置が送信した前記複数のチャネルの割り当て結果を表すスケジューリング情報を受信する無線受信部と、前記スケジューリング情報に示された自端末局装置に割り当てられたチャネルと、前記割り当てられたチャネルと予め組にされた他の周波数帯域に属するチャネルとによって伝送されたデータを１つのブロックとして誤り訂正復号を行う復号化部とを備えることを特徴とする端末局装置が提供される。
【００１９】
本発明の他の観点によれば、複数の周波数帯域に属する複数のチャネルの中から基地局装置によって割り当てられたチャネルを介して基地局装置と通信を行う端末局装置であって、前記基地局装置が送信した前記複数のチャネルの割り当て結果を表すスケジューリング情報を受信する無線受信部と、前記スケジューリング情報に示された自端末局装置に割り当てられたチャネルと、前記割り当てられたチャネルと予め定めた規則によって対応づけられた他の周波数帯域に属するチャネルとによって伝送されたデータを１つのブロックとして誤り訂正復号を行う復号化部とを備えることを特徴とする端末局装置が提供される。
【００２０】
本発明の他の観点によれば、複数の周波数帯域に属する複数のチャネルを用いて基地局装置から端末局装置への通信を行う通信システムであって、前記基地局装置は、異なる周波数帯域にそれぞれ属する複数のチャネルを組にして、前記各端末局装置への通信にチャネルを割り当てるスケジューリング部と、前記チャネルの割り当て結果を表すスケジューリング情報を前記各端末局装置へ送信する無線送信部と、を備え、前記端末局装置は、前記複数のチャネルの受信品質を測定する受信品質測定部と、異なる周波数帯域にそれぞれ属する複数のチャネルを組にして、前記各チャネルの受信品質測定結果に基づいて前記基地局装置へ割り当てを要求するチャネルを選択するチャネル選択部と、前記選択したチャネルの組に含まれる各チャネルを表す情報を含む受信品質情報を生成する受信品質情報生成部と、前記受信品質情報を送信する無線送信部と、を備えることを特徴とする通信システムが提供される。
【００２１】
本発明の他の観点によれば、複数の周波数帯域に属する複数のチャネルを用いて基地局装置から端末局装置への通信を行う通信システムであって、前記基地局装置は、異なる周波数帯域にそれぞれ属する複数のチャネルを組にして、前記各端末局装置への通信にチャネルを割り当てるスケジューリング部と、前記チャネルの割り当て結果を表すスケジューリング情報を前記各端末局装置へ送信する無線送信部と、を備え、前記端末局装置は、前記基地局装置が送信した前記スケジューリング情報を受信する無線受信部と、前記チャネルの組によって伝送されたデータを１つのブロックとして誤り訂正復号を行う復号化部と、を備えることを特徴とする通信システムが提供される。
【００２２】
本発明の他の観点によれば、複数の周波数帯域に属する複数のチャネルを用いて基地局装置から端末局装置への通信を行う通信システムであって、前記基地局装置は、異なる周波数帯域にそれぞれ属する複数のチャネルを予め組にし、前記各端末局装置への通信に前記チャネルの組を割り当てるスケジューリング部と、前記チャネルの割り当て結果を表すスケジューリング情報を前記各端末局装置へ送信する無線送信部と、を備え、前記端末局装置は、前記スケジューリング情報を受信する無線受信部と、前記スケジューリング情報に示された自端末局装置に割り当てられたチャネルと、前記割り当てられたチャネルと予め組にされた他の周波数帯域に属するチャネルとによって伝送されたデータを１つのブロックとして誤り訂正復号を行う復号化部と、を備えることを特徴とする通信システムが提供される。
【００２３】
本発明の別の観点によれば、複数の周波数帯域に属する複数のチャネルを用いて基地局装置から端末局装置への通信を行う通信方法であって、異なる周波数帯域にそれぞれ属する複数のチャネルを組にして、前記各端末局装置への通信にチャネルを割り当てるステップと、前記チャネルの割り当て結果を表すスケジューリング情報を前記各端末局装置へ送信するステップと、を備え、前記端末局装置は、前記複数のチャネルの受信品質を測定するステップと、異なる周波数帯域にそれぞれ属する複数のチャネルを組にして、前記各チャネルの受信品質測定結果に基づいて前記基地局装置へ割り当てを要求するチャネルを選択するステップと、前記選択したチャネルの組に含まれる各チャネルを表す情報を含む受信品質情報を生成するステップと、前記受信品質情報を送信するステップと、を備える
ことを特徴とする通信方法が提供される。
【００２４】
本発明は、上記に記載の通信方法をコンピュータに実行させるためのプログラムであっても良く、該プログラムを記録するコンピュータ読み取り可能な記録媒体であっても良い。該プログラム無は、インターネットなどの伝送媒体によって取得されるものであっても良い。
【発明の効果】
【００２５】
本発明によれば、各端末局装置から報告された受信品質情報に基づいて、基地局装置が複数の周波数帯域に配置されたチャネルから各端末局装置へのチャネルの割り当てを決定する際に、周波数帯域による伝搬路の違いを考慮して、より高い周波数ダイバーシチ効果を得られるチャネル割り当てを実現する基地局装置、端末局装置および通信システムを提供することができる。
【発明を実施するための最良の形態】
【００２６】
以下に、基地局装置から端末局装置への下りリンクの通信に、直交周波数分割多重（Orthogonal Frequency Division Multiplex。以下ＯＦＤＭと記す）を用いた多元接続方式である直交周波数分割多元接続（Orthogonal Frequency Division Multiple Access。以下、「ＯＦＤＭＡ」と記す。）システムを採用し、少なくとも１つのサブキャリアからなるチャネル毎に適応スケジューリング（各端末局装置に対するチャネルの割り当て）を行うセルラーシステムにおいて、複数のチャネルから構成される周波数帯域を複数個集めて通信を行う周波数アグリゲーション方式を適用したシステムについて、本発明を適用した実施例を挙げて説明する。
【００２７】
尚、以下の各実施の形態における説明では、受信品質情報としてパイロットシンボルに基づき算出した指標、例えば、ＳＩＮＲ（Signal to Interference plus Noise power Ratio：受信信号電力対干渉および雑音電力比）を用いる場合を例として説明する。
【００２８】
［第１の実施の形態］
以下に、本発明の第１の実施の形態による通信技術について図面を参照しながら説明を行う。図１は、本実施の形態における通信技術における、下りリンクのチャネルの周波数配置の一例を示した図である。図１では、周波数の離れた複数の搬送波で伝送される複数の周波数帯域を下りリンクの通信に使用し、各周波数帯域は複数のチャネルから構成されている。図１では、チャネル１からチャネル１６の１６個のチャネルが周波数の低い方から順に配置されている場合の例を示している。
【００２９】
図１（ａ）は、各チャネルを伝送する複数の搬送波（搬送波周波数ｆｃ1、ｆｃ2：ｆｃ1＜ｆｃ2）毎に周波数帯域Ｂ１、Ｂ２を定義した場合の例を示す図であり、周波数帯域Ｂ１にはチャネル１からチャネル８まで、周波数帯域Ｂ２にはチャネル９からチャネル１６まで、が含まれている。
【００３０】
さらに、図１（ｂ）は、各チャネルを伝送する複数の搬送波（搬送波周波数ｆｃ1、ｆｃ2、ｆｃ3：ｆｃ1＜ｆｃ2＜ｆｃ3）について、各周波数帯域が同じ帯域幅（チャネル数）となるように定義した場合の例を示し、周波数帯域ｂ１にはチャネル１からチャネル４まで、周波数帯域ｂ２にはチャネル５からチャネル８まで、周波数帯域ｂ３にはチャネル９からチャネル１２まで、周波数帯域ｂ４にはチャネル１３からチャネル１６まで、が含まれる。
【００３１】
尚、周波数帯域の定義は上記の例に限られるものではなく、周波数の近接するチャネルを含むように定義すれば、チャネルを伝送する搬送波や含まれるチャネル数が異なっていても良い。
【００３２】
以下の実施の形態では、図１（ａ）の構成例を参照して説明する。図２は、本実施の形態における基地局装置２００の一構成例を示す概略ブロック図である。図３は、本実施の形態における端末局装置３００の一構成例を示す概略ブロック図である。図２に示すように、基地局装置２００は、制御情報が入力される第１の符号化部２０１、下りリンクデータが入力される第２の符号化部２０２、第１の符号化部２０１の出力を受ける第１の変調部２０３、第２の符号化部２０２の出力を受ける第２の変調部２０４、パイロット生成部２０５、マッピング部２０６、周波数時間変換部２０７、ＧＩ（Guard Interval：ガード期間）挿入部２０８、無線送信部２０９、アンテナ部２１０、無線受信部２１１、復調部２１２、復号化部２１３、受信品質情報記憶部２１４、スケジューリング部２１５、を有する。
【００３３】
図３に示すように、端末局装置３００は、アンテナ部３０１、無線受信部３０２、ＧＩ除去部３０３、時間周波数変換部３０４、デマッピング部３０５、第１の復調部３０６、第２の復調部３０７、受信品質測定部３０８、第１の復号化部３０９、第２の復号化部３１０、チャネル選択部３１１、受信品質情報生成部３１２、符号化部３１３、変調部３１４、無線送信部３１５、を有する。
【００３４】
基地局装置２００での下りリンクの送信動作について図２を参照しながら説明する。第１の符号化部２０１は、端末局装置へ通知する制御情報、およびスケジューリング部２１５による下りリンクのスケジューリング結果であるスケジューリング情報を予め定めた符号化率によって誤り訂正符号化して符号化制御情報を生成し、出力する。
【００３５】
第１の変調部２０３は、第１の符号化部２０１で生成した符号化制御情報を予め定めた変調方式で変調して制御情報の変調シンボルを生成し、出力する。
【００３６】
第２の符号化部２０２は、下りリンクで送信する下りリンクデータに対してスケジューリング情報に基づいて誤り訂正符号化を行い、符号化データを出力する。
【００３７】
第２の変調部２０４は、第２の符号化部２０２で生成した符号化データをスケジューリング情報に基づいて変調し、下りリンクデータの変調シンボルを出力する。
【００３８】
パイロット生成部２０５は、端末局装置における受信品質測定のために送信信号へ挿入するパロットシンボルを生成し、出力する。
【００３９】
マッピング部２０６は、第１の変調部２０３で生成した制御情報の変調シンボルおよびパイロット生成部２０５で生成したパイロットシンボルを予め定めたマッピング位置（各チャネルの各サブキャリア、およびＯＦＤＭシンボル）へ割り当て（マッピングし）、第２の変調部２０４で生成した下りリンクデータの変調シンボルをスケジューリング情報に基づいて各チャネルの各サブキャリアへ割り当て、送信シンボルを出力する。
【００４０】
周波数時間変換部２０７は、マッピング部２０６が出力した送信シンボルを周波数時間変換、例えば高速逆フーリエ変換（Inverse Fast Fourier Transform：ＩＦＦＴ）してＯＦＤＭの時間信号に変換し出力する。
【００４１】
ＧＩ挿入部２０８は、周波数時間変換部２０７で生成されたＯＦＤＭの時間信号にガード期間ＧＩを付加する。
【００４２】
無線送信部２０９は、ガード期間を付加されたＯＦＤＭの時間信号をアナログ信号へ変換し、無線周波数へアップコンバートして、アンテナ部２１０より端末局装置３００に送信する。
【００４３】
尚、本実施の形態では、第１の変調部２０３から無線送信部２０９まで（図２の一点鎖線で囲まれた部分）を各周波数帯域または各搬送波に対応してそれぞれ設けている場合の例を示しているが、一括して処理するように構成しても良い。
【００４４】
端末局装置３００での下りリンクの受信動作と、上りリンクでの受信品質情報の送信（通知）動作について図３を参照しながら説明する。
【００４５】
基地局装置２００から送信された信号を、アンテナ部３０１を経て無線受信部３０２が受信し、無線周波数からダウンコンバートし、さらにデジタル信号へと変換し、ＯＦＤＭの時間信号を出力する。
【００４６】
ＧＩ除去部３０３は、ＯＦＤＭの時間信号からガード期間ＧＩを除去し、ガード期間ＧＩを除去したＯＦＤＭの時間信号を出力する。
【００４７】
時間周波数変換部３０４は、ＧＩ除去部３０３から出力されたＯＦＤＭの時間信号を時間周波数変換、例えば高速フーリエ変換（Fast Fourier Transform：ＦＦＴ）することにより、変調シンボルを出力する。
【００４８】
デマッピング部３０５は、予め定めたマッピング位置から下りリンクの制御情報の変調シンボルとパイロットシンボルを、その他から下りリンクデータの変調シンボルをそれぞれ分離し、出力する。
【００４９】
第１の復調部３０６は、デマッピング部３０５から出力された制御情報の変調シンボルを、予め定めた変調方式に基づいて復調し、符号化制御情報を出力する。
【００５０】
第１の復号化部３０９は、第１の復調部３０６で復調した符号化制御情報に対して、予め定めた符号化率に基づいて誤り訂正復号化を行い、下りリンクの制御情報およびスケジューリング情報を出力する。
【００５１】
第２の復調部３０７は、デマッピング部３０５から出力された下りリンクデータの変調シンボルを、第１の復号化部３０９から出力された下りリンクのスケジューリング情報に基づいて復調し、符号化データを出力する。
【００５２】
第２の復号化部３１０は、第２の復調部３０７で復調した符号化データに対して、第２の復号化部３０９から出力された下りリンクのスケジューリング情報に基づいて誤り訂正復号化を行い、下りリンクデータを出力する。
【００５３】
受信品質測定部３０８は、デマッピング部３０５から出力されたパイロットシンボルに基づいて各チャネルの受信品質（ＳＩＮＲ）を測定し出力する。
【００５４】
チャネル選択部３１１は、受信品質測定部３０８から出力された各チャネルの受信品質の測定結果（以下、単に「受信品質」と記す。）の良好なチャネルから、基地局装置２００に受信品質を通知するチャネルを所定数選択し、選択したチャネルを示す選択チャネル情報と選択したチャネルの受信品質を出力する。
【００５５】
受信品質情報生成部３１２は、チャネル選択部３１１が出力した選択チャネル情報と受信品質を基地局装置２００へ通知するための受信品質情報を生成し、出力する。
【００５６】
符号化部３１３は、受信品質情報生成部３１２の出力した受信品質情報に対して、予め定めた符号化率に基づいて誤り訂正符号化を行い、符号化受信品質情報を出力する。
【００５７】
変調部３１４は、符号化部３１３で生成した符号化受信品質情報を予め定めた変調方式に基づいて変調し、受信品質情報シンボルを出力する。
【００５８】
無線送信部３１５は、受信品質情報シンボルをアナログ信号へ変換し、無線周波数へアップコンバートして、アンテナ部３０１から基地局装置２００へ送信する。
【００５９】
尚、本実施の形態では、無線受信部３０２から受信品質測定部３０８まで（図３の一点鎖線で囲まれた部分）を各周波数帯域または各搬送波に対応してそれぞれ設けている場合の例を示しているが、一括して処理するように構成しても良い。
【００６０】
また、本実施の形態では、受信品質情報を単独で基地局装置２００へ通知する場合の例を説明したが、上りリンクデータに多重して、あるいは、上りリンクデータの一部として送信する構成としても良い。このとき、上りリンクデータの符号化率、変調方式に基づいて受信品質情報の誤り訂正符号化、変調を行っても良い。
【００６１】
さらに、本実施の形態では、各端末局装置が受信品質の良好なチャネルから所定数だけ選択した、一部のチャネルのみについての受信品質情報を基地局装置２００へ通知する場合の例を説明したが、本発明はこれに限られるものではなく、選択数は可変でも良いし、異なる基準によって所定数だけ選択したチャネルに関する受信品質情報を通知しても良いし、各端末局装置が全てのチャネルに関する受信品質情報を通知しても良いし、予め定めた一部のチャネルに関する受信品質情報を通知しても良い。
【００６２】
基地局装置２００での上りリンクでの受信品質情報の受信動作について図２を用いて説明する。
【００６３】
端末局装置３００から送信された信号を、アンテナ部２１０を経て無線受信部２１１が受信し、無線周波数からダウンコンバートし、さらにデジタル信号へと変換し、受信品質情報シンボルを出力する。
【００６４】
復調部２１２は、受信品質情報シンボルを予め定めた変調方式に基づいて復調し、符号化受信品質情報を出力する。
【００６５】
復号化部２１３は、復調部２１２の出力した符号化受信品質情報を、予め定めた符号化率に基づいて誤り訂正復号化を行い、受信品質情報を出力する。
【００６６】
受信品質情報記憶部２１４は、復号化部２１３の出力した受信品質情報を記憶する。
【００６７】
スケジューリング部２１５は、受信品質情報記憶部２１４に記憶された各端末局装置の受信品質情報に基づいて、各端末局装置宛の下りリンクデータのチャネルへの割り当て、変調方式、および符号化率などを決定し、チャネルの割り当て結果と各チャネルの変調方式および符号化率を表すスケジューリング情報として出力する。なお、スケジューリング部２１５の詳細な動作は後述する。
【００６８】
尚、本実施の形態では、下りリンクの制御情報およびスケジューリング情報の誤り訂正符号化の符号化率、変調方式、およびマッピング位置と、パイロットシンボルのマッピング位置、および上りリンクの受信品質情報の誤り訂正符号化の符号化率、変調方式について、予め定めておく場合の例について説明した。但し、別途基地局装置から端末局装置へ通知される信号または情報などに基づいてこれらの情報が特定できるようにしても良い。
【００６９】
図４は、基地局装置２００におけるスケジューリング部２１５の動作手順例を示すフローチャート図である。尚、図４に示す例では、２つの周波数帯域（第１の周波数帯域および第２の周波数帯域）に属するチャネルを割り当てる場合の例を示している。
【００７０】
まず、図４（ａ）の動作手順の例について説明する。スケジューリング部２１５は、各端末局装置について以下の処理を繰り返す（ステップＳ４０１からステップＳ４０５のループ）。第１の周波数帯域に属する未割り当てのチャネルのうち、割り当てようとする端末局装置から通知された受信品質が最も良好なチャネルから、該端末局装置が必要とするチャネル割り当て数の半分を割り当てる（ステップＳ４０２）。第２の周波数帯域に属する未割り当てのチャネルのうち、割り当てようとする端末局装置から通知された受信品質が最も良好なチャネルから、第１の周波数帯域で割り当てたチャネルと同数のチャネルを割り当てる（ステップＳ４０３）。
【００７１】
ステップＳ４０２およびステップＳ４０３で割り当てた各チャネルの受信品質に基づいて、該チャネルの変調方式および符号化率を決定する（ステップＳ４０４）。最後に、チャネルの割り当て結果と、各チャネルの変調方式および符号化率をスケジューリング情報として出力する（ステップＳ４０６）。
【００７２】
次に、図４（ｂ）の動作手順の例について説明する。スケジューリング部２１５は、各端末局装置について以下の処理を繰り返す（ステップＳ４１１からステップＳ４１５のループ）。
【００７３】
第１の周波数帯域に属する未割り当てのチャネルのうち、割り当てようとする端末局装置から通知された受信品質が最も良好なチャネルから、該端末局装置が必要とするチャネル割り当て数の半分を割り当てる（ステップＳ４１２）。第２の周波数帯域に属する未割り当てのチャネルから、Ｓ４１２において割り当てた第１の周波数帯域に属するチャネルの受信品質に最も近い受信品質が通知されているチャネルを、第１の周波数帯域で割り当てたチャネルと同数割り当てる（ステップＳ４１３）。ステップＳ４１２およびステップＳ４１３で割り当てた各チャネルの受信品質の平均値に基づいて、該チャネルの変調方式および符号化率を決定する（ステップＳ４１４）。最後に、チャネルの割り当て結果と、各チャネルの変調方式および符号化率をスケジューリング情報として出力する（ステップＳ４１６）。
【００７４】
上記の例では、第１の周波数帯域および第２の周波数帯域に同数のチャネルを割り当てる場合について説明したが、周波数ダイバーシチ効果が十分得られる範囲内で割り当てるチャネルの数が異なっていても良い。
【００７５】
尚、上記２つの動作手順でのループにおける各端末局装置へのチャネル割り当ては、各端末局装置宛の下りリンクデータ量および要求品質に基づいて各端末局装置間の優先順位を決定し、優先順位の高い端末局装置から実行するのが好ましいが、これに限られるものではない。例えば、上記優先順位を考慮した上で、端末局装置毎に１組のチャネルずつ順番に割り当てていくループを必要チャネル数に達するまで繰り返す処理としても良いし、上記優先度を考慮した上で全体としての伝送容量が最大になるように（ループを回さずに）各端末局装置への割り当てを決定する処理としても良い。
【００７６】
また、３つ以上の周波数帯域を使用する場合でも、異なる２つ以上の周波数帯域に属するチャネルを同時に割り当てることにより、本実施の形態による技術は同様に適用可能である。
【００７７】
図５は、２つの周波数帯域に配置された１６個のチャネルからなる下りリンクにおいて、２つの端末局装置Ｔ１と端末局装置Ｔ２に対してチャネルの割り当てを決定する場合の一例を示す図である。
【００７８】
図５（ａ）は、周波数方向のチャネル配置を示した図である。低い方の搬送波周波数ｆｃ1に対して第１の周波数帯域を形成し、その第１の周波数帯域にはチャネル１からチャネル８までが属する。高い方の搬送波周波数ｆｃ2に対して第２の周波数帯域を形成し、その第２の周波数帯域にはチャネル９からチャネル１６までが属している。
【００７９】
図５（ｂ）は、各端末局装置が基地局装置へ通知してきた受信品質情報の一例を示した図である。この例では各端末局装置は１６個のチャネルから６個を選択して、その選択した６個のチャネルに関する受信品質情報を基地局装置に通知するものとする。端末局装置Ｔ１（実線）と端末局装置Ｔ２（点線）とが、それぞれ６個のチャネルについて図のような受信品質を通知している様子を示している。
【００８０】
スケジューリング部２１５は、図５（ｂ）に示した受信品質情報に基づいて、図４（ａ）の手順に従う場合、次のようにチャネルの割り当てを決定する。尚、ここで、各端末局装置にチャネルを４個ずつ割り当てる必要がある場合を想定する。
【００８１】
まず端末局装置Ｔ１についてチャネルの割り当てを行う。
（１）第１の周波数帯域に属し、端末局装置Ｔ１が受信品質情報を通知してきたチャネ          ル（チャネル２、チャネル４およびチャネル５）の中で受信品質の良好な方か          ら２個（割り当てる必要のあるチャネル数４個の半分）、すなわちチャネル２          とチャネル５を端末局装置Ｔ１に割り当てる。
（２）第２の周波数帯域に属し、端末局装置Ｔ１が受信品質情報を通知してきたチャネ          ル（チャネル９、チャネル１２およびチャネル１６）の中で受信品質の良好な          方から２個（割り当てる必要のあるチャネル数４個の半分）、すなわちチャネ          ル１６とチャネル９を端末局装置Ｔ１に割り当てる。
上記のようにして第１の周波数帯域と第２の周波数帯域に属するチャネルを同時に割り当てる。
【００８２】
次に端末局装置Ｔ２についてチャネルの割り当てを行う。
（３）第１の周波数帯域に属し、端末局装置Ｔ２が受信品質情報を通知してきたチャネ          ル（チャネル２、チャネル４およびチャネル８）かつ未割り当てのチャネルの          中で受信品質の良好な方から２個（割り当てる必要のあるチャネル数４個の半          分）、すなわちチャネル４とチャネル８を端末局装置Ｔ２に割り当てる。
（４）第２の周波数帯域に属し、端末局装置Ｔ２が受信品質情報を通知してきたチャネ          ル（チャネル１０、チャネル１２およびチャネル１５）かつ未割り当てのチャ          ネルの中で受信品質の良好な方から２個（割り当てる必要のあるチャネル数４          個の半分）、すなわちチャネル１５とチャネル１０を端末局装置Ｔ２に割り当          てる。
上記のようにして第１の周波数帯域と第２の周波数帯域に属するチャネルを同時に割り当てる。
【００８３】
上記の結果、チャネルの割り当ては図５（ｃ）のようになる。スケジューリング部２１５はさらに、割り当てられたチャネルに対応する受信品質情報に基づいて、割り当てられたチャネルの変調方式と符号化率を選択する。
【００８４】
また、第２の符号化部２０２では、上記のスケジューリングの結果、第１の周波数帯域と第２の周波数帯域とに属する複数のチャネルを組にして伝送するように割り当てられたデータについて、１つのブロックとして誤り訂正符号化を行う。
【００８５】
さらに端末局装置３００の第２の復調部３０７では、上記の複数のチャネルの組によって伝送されてきたデータを１つのブロックとして誤り訂正復号を行う。
【００８６】
このように、本実施の形態によれば、各端末局装置から報告された受信品質情報に基づいて基地局装置が複数の周波数帯域に配置されたチャネルから各端末局装置へのチャネルの割り当てを決定する際に、複数の周波数帯域に属するチャネルを同時に（組にして）各端末局装置に割り当てる。これにより、各周波数帯域による伝搬路の違いを利用した周波数ダイバーシチ効果を得ることが可能となり、より誤り率特性の良い下りリンクのデータ通信が実現できる。
【００８７】
［第２の実施の形態］
本実施の形態における基地局装置２００の構成は図２と同じであるが、スケジューリング部２１５での動作が異なる。また、端末局装置３００の構成も図３と同じである。
【００８８】
以下、第１の実施の形態と異なる部分について説明する。
本実施の形態では、異なる周波数帯域に属するチャネルについて、予め定めた規則に基づいて一意に対応づけられるチャネルの組を定義し、その組に対して割り当てを決定する。
【００８９】
図６は、本実施の形態における基地局装置２００のスケジューリング部２１５の動作手順の一例を示すフローチャート図である。尚、図６の例では、２つの周波数帯域（第１の周波数帯域および第２の周波数帯域）に属するチャネルを割り当てる場合の例を示している。
【００９０】
スケジューリング部２１５は、各端末局装置について以下の処理を繰り返す（ステップＳ６０１からステップＳ６０５のループ）。第１の周波数帯域に属する未割り当てのチャネルのうち、割り当てようとする端末局装置から通知された受信品質が最も良好なチャネルから、該端末局装置が必要とするチャネル割り当て数の半分を割り当てる（ステップＳ６０２）。ステップＳ６０２で割り当てた第１の周波数帯域に属するチャネルそれぞれに対して、予め定めた規則に基づいて一意に対応づけられる第２の周波数帯域に属するチャネルを求め、それらのチャネルを該端末局装置に割り当てる（ステップＳ６０３）。ステップＳ６０２およびステップＳ６０３で割り当てた各チャネルの受信品質またはその平均値に基づいて、該チャネルの変調方式および符号化率を決定する（ステップＳ６０４）。
【００９１】
最後に、チャネルの割り当て結果と、各チャネルの変調方式および符号化率をスケジューリング情報として出力する（ステップＳ６０６）。
【００９２】
尚、上記動作手順でのループにおける各端末局装置へのチャネル割り当ては、各端末局装置宛の下りリンクデータ量および要求品質に基づいて各端末局装置間の優先順位を決定し、優先順位の高い端末局装置から実行するのが好ましいが、これに限られるものではない。例えば、上記優先順位を考慮した上で、端末局装置毎に１組のチャネルずつ順番に割り当てていくループを必要チャネル数に達するまで繰り返す処理としても良いし、上記優先度を考慮した上で全体としての伝送容量が最大になるように（ループを回さずに）各端末局装置への割り当てを決定する処理としても良い。
【００９３】
また、３つ以上の周波数帯域を使用する場合でも、異なる２つ以上の周波数帯域に属するチャネルの間で一意に対応づける規則を予め定めることにより、本実施の形態による技術は同様に適用することが可能である。
【００９４】
本実施の形態においては、各端末局装置に通知するスケジューリング情報に組となるチャネルの一方についての割り当て情報が含まれれば、もう一方のチャネルを端末局装置において特定することが可能であるため、割り当て情報を削減することも可能である。
【００９５】
さらに、組となる複数のチャネルに対して、それらのチャネルの受信品質の平均値などにより共通する１種類の変調方式および符号化率を選択する場合、これらの複数のチャネルにおける変調方式および符号化率を通知するための情報も１個に削減できる。
【００９６】
また、端末局装置３００のチャネル選択部３１１において、基地局装置２００に受信品質を通知するチャネルを選択する際に、上記のチャネルの組で選択を行うのが好ましい。このとき、チャネルの組の受信品質測定結果の平均値が良好な組から選択を行うのが好ましいが、これに限られるものではない。
【００９７】
また、受信品質情報生成部３１２では、これらチャネルの組について、一方の選択チャネル情報のみを含めるように受信品質情報を生成する。
【００９８】
さらに、チャネルの組について受信品質測定結果の平均値を通知する場合は、受信品質情報生成部３１２はチャネルの各組について１個の受信品質（上記平均値）のみを含めるように受信品質情報を生成する。
【００９９】
図７は、２つの周波数帯域に配置された１６個のチャネルからなる下りリンクにおいて、２つの端末局装置Ｔ１と端末局装置Ｔ２とに対してチャネルの割り当てを決定する場合の一例を示す図である。
【０１００】
図７（ａ）は、周波数方向のチャネル配置を示した図である。低い方の搬送波周波数ｆｃ1に対して第１の周波数帯域を形成し、その第１の周波数帯域にはチャネル１からチャネル８までが属する。高い方の搬送波周波数ｆｃ2に対して第２の周波数帯域を形成し、その第２の周波数帯域にはチャネル９からチャネル１６までが属している。この例では、チャネル１とチャネル９、チャネル２とチャネル１０、以下同様にしてチャネル８とチャネル１６のように、第１の周波数帯域に属するチャネルｎと第２の周波数帯域に属するチャネル（ｎ＋８）を組とする場合を示している。
【０１０１】
図７（ｂ）は、各端末局装置が基地局装置へ通知してきた受信品質情報の一例を示した図である。この例では各端末局装置は１６個のチャネルから３個の組となる６個のチャネルを選択して、その選択した６個のチャネルに関する受信品質情報を基地局装置に通知するものとする。端末局装置Ｔ１（実線）と端末局装置Ｔ２（点線）とがそれぞれ６個のチャネルについて図のような受信品質を通知している様子を示している。
【０１０２】
スケジューリング部２１５は、図７（ｂ）に示した受信品質情報に基づいて、図６の手順に従い、以下のようにチャネルの割り当てを決定する。尚、ここで、各端末局装置にチャネルを４個ずつ割り当てる必要がある場合を想定する。
【０１０３】
まず端末局装置Ｔ１についてチャネルの割り当てを行う。
（１）第１の周波数帯域に属し、端末局装置Ｔ１が受信品質情報を通知してきたチャネ          ル（チャネル２、チャネル４およびチャネル５）の中で受信品質の良好な方か          ら２個（割り当てる必要のあるチャネル数４個の半分）、すなわちチャネル２          とチャネル５を端末局装置Ｔ１に割り当てる。
（２）第２の周波数帯域に属し、（１）で割り当てたチャネルと組になるチャネル、す          なわちチャネル１０とチャネル１３を端末局装置Ｔ１に割り当てる。
上記のようにして第１の周波数帯域と第２の周波数帯域とに属するチャネルを同時に割り当てる。
【０１０４】
次に、端末局装置Ｔ２についてチャネルの割り当てを行う。
（３）第１の周波数帯域に属し、端末局装置Ｔ２が受信品質情報を通知してきたチャネ          ル（チャネル２、チャネル３およびチャネル８）かつ未割り当てのチャネルの          中で受信品質の良好な方から２個（割り当てる必要のあるチャネル数４個の半          分）、すなわちチャネル３とチャネル８を端末局装置Ｔ２に割り当てる。
（４）第２の周波数帯域に属し、（３）で割り当てたチャネルと組になるチャネル、す          なわちチャネル１１とチャネル１６を端末局装置Ｔ２に割り当てる。
上記のようにして第１の周波数帯域と第２の周波数帯域とに属するチャネルを同時に割り当てる。
上記の処理の結果、チャネルの割り当ては図７（ｃ）に示すようになる。
【０１０５】
スケジューリング部２１５は、さらに、割り当てられたチャネルに対応する受信品質情報に基づいて、割り当てられたチャネルの変調方式と符号化率とを選択する。
【０１０６】
また、第２の符号化部２０２では、上記のスケジューリングの結果、第１の周波数帯域と第２の周波数帯域とに属する複数のチャネルの組で伝送するように割り当てられたデータについて、１つのブロックとして誤り訂正符号化を行う。
【０１０７】
さらに端末局装置３００の第２の復調部３０７では、基地局装置２００から送信されたスケジューリング情報に示された自端末局装置に割り当てられたチャネルと、その割り当てられたチャネルと予め組にされたチャネルとによって伝送されてきたデータを１つのブロックとして誤り訂正復号を行う。
【０１０８】
このように、本実施の形態によれば、各端末局装置から報告された受信品質情報に基づいて基地局装置が複数の周波数帯域に配置されたチャネルから各端末局装置へのチャネルの割り当てを決定する際に、複数の周波数帯域に属するチャネルを同時に（組にして）各端末局装置に割り当てる。これにより、各周波数帯域による伝搬路の違いを利用した周波数ダイバーシチ効果を得ることが可能となり、より誤り率特性の良い下りリンクのデータ通信が実現できる。
【０１０９】
以上のように上記各実施の形態では、
１）下りリンクの伝送システム：マルチキャリア伝送システム（特にＯＦＤＭＡ伝送システム）であり、
２）チャネル構成：少なくとも１つのサブキャリアを備え、
３）受信品質情報の単位：チャネル単位であり、
４）下りリンクの適応スケジューリング（チャネルの端末局装置への割り当て）および適応変調：チャネル毎またはチャネルをさらに時間方向に分割したリソースブロック毎である、としたセルラーシステムに、受信品質としてパイロットシンボルに基づき算出したＳＩＮＲを用いて本発明を説明した。
【０１１０】
しかしながら、本発明の適用できる、変調方式、チャネル構成、受信品質情報および適応変調の単位、適応スケジューリング、および受信品質は上記に限定されるものではない。
【０１１１】
例えば、下りリンクの伝送システムとして拡散技術を用いたＭＣ−ＣＤＭＡ（Multi Carrier-Code Division Multiple Access）システムを、適応変調および適応スケジューリングの単位は、ＭＩＭＯ（Multiple Input Multiple Output）などのＳＤＭＡ（Space Division Multiple Access：空間分割多元接続）において送信アンテナあるいは固有モードが示す複数のチャネル、ＣＤＭＡにおける複数のコードチャネル、あるいは、これらの組み合わせとしてのチャネルなど、複数のチャネルを用いて通信を行なう他のシステムであっても、チャネル毎に受信品質が異なる可能性があるシステムにおいて、本発明を適用することができる。
【０１１２】
また、受信品質としては、
１）ＲＳＳＩ（Received Signal Strength Indicator）、ＳＮＲ、ＳＩＲ（Signal to Interference power Ratio：受信信号電力対干渉電力比）、ＣＮＲ（Carrier to Noise power Ratio：搬送波電力対雑音電力比）、ＣＩＲ（Carrier to Interference power Ratio：搬送波電力対干渉電力比）、ＣＩＮＲ（Carrier to Interference plus Noise power Ratio：搬送波電力対干渉電力および雑音電力比）、など受信信号電力や搬送波電力に関連して受信品質を示す指標、
２）変調方式とチャネル符号化率の組み合わせであるＭＣＳ（Modulation and Coding Scheme）や伝送レートなどの変調パラメータ等の伝搬路状態に応じて選択された変調パラメータなどの伝送速度にかかわる指標、であれば何を用いても良い。
【０１１３】
また、上記の各実施の形態では、基地局装置と端末局装置とから構成されるＦＤＤ（Frequency Division Duplex：周波数分割複信）を採用する通信システムであり、下りリンクの通信においてＯＦＤＭの適応変調システムを想定し、上りリンクの通信ではＯＦＤＭと適応変調は行わないシステムを想定しているが、これに限定されるものではない。
【０１１４】
さらに、本発明は、複数の無線通信装置のいずれかがスケジューリング機能と適応変調を実施し、他の無線通信装置が受信品質情報送信機能を実施することができる関係にある無線通信装置同士へ適用することができる。
【０１１５】
尚、２つの無線通信装置間で、チャネルの受信品質情報を通知する側（受信品質情報送信機能を有する側）を端末局装置、通知された受信品質情報に基づいて各端末局装置への送信データを各チャネルに割り当て適応変調を行う側（スケジューリング機能を行う側）を基地局装置として説明したが、一つの無線通信装置が両方の機能を有する場合もあり得る。
【０１１６】
本明細書では、無線通信装置は、無線通信を行なう装置であり、基地局装置、端末局装置、無線機、携帯端末局装置、携帯電話等を含むものである。
【０１１７】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【０１１８】
また、「コンピュータシステム」は、ＷＷＷシステムを利用している場合であれば、ホームページ提供環境（あるいは表示環境）も含むものとする。
【０１１９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【０１２０】
本発明は、通信装置に利用可能である。
【図面の簡単な説明】
【０１２１】
【図１】本発明の第１の実施の形態における通信技術における、下りリンクのチャネルの周波数配置の一例を示した図である。
【図２】本実施の形態における基地局装置の一構成例を示す概略ブロック図である。
【図３】本実施の形態における端末局装置の一構成例を示す概略ブロック図である。
【図４】基地局装置におけるスケジューリング部２１５の動作手順例を示すフローチャート図である。
【図５】２つの周波数帯域に配置された１６個のチャネルからなる下りリンクにおいて、２つの端末局装置Ｔ１と端末局装置Ｔ２に対してチャネルの割り当てを決定する場合の一例を示す図である。
【図６】本発明の第２の実施の形態における基地局装置のスケジューリング部の動作手順の一例を示すフローチャート図である。
【図７】２つの周波数帯域に配置された１６個のチャネルからなる下りリンクにおいて、２つの端末局装置Ｔ１と端末局装置Ｔ２とに対してチャネルの割り当てを決定する場合の一例を示す図である。
【符号の説明】
【０１２２】
２００…基地局装置、２０１…第１の符号化部、２０２…第２の符号化部、２０３…第１の変調部、２０４…第２の変調部、２０５…パイロット生成部、２０６…マッピング部、２０７…周波数時間変換部、２０８…ＧＩ（Guard Interval：ガード期間）挿入部、２０９…無線送信部、２１０…アンテナ部、２１１…無線受信部、２１２…復調部、２１３…復号化部、２１４…受信品質情報記憶部、２１５…スケジューリング部、３００…端末局装置、３０１…アンテナ部、３０２…無線受信部、３０３…ＧＩ除去部、３０４…時間周波数変換部、３０５…デマッピング部、３０６…第１の復調部、３０７…第２の復調部、３０８…受信品質測定部、３０９…第１の復号化部、３１０…第２の復号化部、３１１…チャネル選択部、３１２…受信品質情報生成部、３１３…符号化部、３１４…変調部、３１５…無線送信部。
【図１】
2010098688.tif 000003
【図２】
2010098688.tif 000004
【図３】
2010098688.tif 000005
【図４】
2010098688.tif 000006
【図５】
2010098688.tif 000007
【図６】
2010098688.tif 000008
【図７】
2010098688.tif 000009